(57)【要約】      （修正有）【課題】紙等の裁断可能なシート材を様々なトリミング方法で随意にトリミングするための多機能トリミング装置を提供する。【解決手段】ペーパトリマ２は、ベース２１、レール２２、及び３つのトリミング部材を内部に収納する回転可能なキャリッジ２３を備え、トリミング部材の中の選択された一つのみをキャリッジ２３から露出させ、作動させる。キャリッジ２３がガイドスリット２１１内をスライド移動するとき、キャリッジとともに３つのトリミング部材が移動し、露出状態にあるトリミング部材が紙の上を横断して所望の方法で紙をトリミングする。【選択図】図２
2005125410.tif 000002
【特許請求の範囲】
【請求項１】
シート材を様々にトリミングするためのトリミング装置であって、
前記シート材を載置するためのベースと、
前記ベース上に取り付けられたレールと、
前記シート材を第１の方法でトリミングするための第１のトリミング部材と、
前記シート材を第２の方法でトリミングするための第２のトリミング部材と、
移動可能に前記レールと係合し、前記第１及び第２のトリミング部材に夫々連結された第１及び第２の部分、及び前記レールに沿って移動するための駆動力を受ける第３の部分を有し、それにより、前記第１及び第２のトリミング部材の中の選択された一つを前記シート材の上を横断するように移動させるキャリッジとを備えたことを特徴とするトリミング装置。
【請求項２】
前記シート材は紙又は布のいずれかであることを特徴とする請求項１に記載のトリミング装置。
【請求項３】
前記第１のトリミング部材は鋭利ブレードであり、前記第１の方法は完全なカッティングであることを特徴とする請求項１に記載のトリミング装置。
【請求項４】
前記第２のトリミング部材は歯車形ブレードであり、前記第２の方法は断続的なカッティングであることを特徴とする請求項３に記載のトリミング装置。
【請求項５】
前記第２のトリミング部材は非鋭利ブレードであり、前記第２の方法は折り畳みラインの付与であることを特徴とする請求項３に記載のトリミング装置。
【請求項６】
前記キャリッジの移動に応じて前記シート材を第３の方法でトリミングするために前記キャリッジの第４の部分に連結された、第３のトリミング部材をさらに備えたことを特徴とする請求項１に記載のトリミング装置。
【請求項７】
前記第３のトリミング部材は、鋭利ブレード、歯車形ブレード、及び非鋭利ブレードから選択されることを特徴とする請求項６に記載のトリミング装置。
【請求項８】
シート材を様々にトリミングするためのトリミング装置であって、
前記シート材を載置するためのベースと、
前記ベースに取り付けられたレールと、
容器部分を有し、前記シート材が所望の方法でカットされるように、移動可能に前記レールと係合するキャリッジと、
前記キャリッジの前記容器部分内に設置され、前記キャリッジを操作することによって前記シート材と接触するように選択される、夫々異なるトリミング機能を有する複数のトリミング部材とを備えたことを特徴とするトリミング装置。
【請求項９】
前記キャリッジは、
前記複数のトリミング部材に夫々対応する複数の支持部材を内部に有するトップカバーと、
前記トップカバーとともに前記容器部分を構成し、前記支持部材の中の対応する一つの支持力によって前記トリミング部材の中の選択された一つを突出させるための開口が各々設けられた前記トリミング部材を夫々収納するための複数の溝を有する、ハウジングとを備えたことを特徴とする請求項８に記載のトリミング装置。
【請求項１０】
前記キャリッジは、前記選択されたトリミング部材に前記支持力を与えるために、前記支持部材の中の前記対応する一つを前記トリミング部材の中の前記選択された一つに合わせるように前記ハウジングに対して前記トップカバーを回転させることによって、操作されることを特徴とする請求項９に記載のトリミング装置。
【請求項１１】
前記キャリッジはさらに、
前記ハウジングの前記溝に夫々設置され、前記支持力を受けることによって随意に下方に移動し、前記開口の中の対応する一つから前記選択されたトリミング部材を露出させる、前記トリミング部材を保持するための複数の保持部材と、
前記支持力を受けていない前記保持部材及び前記トリミング部材を前記容器部分に引き戻すための弾性力を与えるために、前記溝内において前記保持部材と前記開口との間に夫々配置された複数の弾性部材とを備えたことを特徴とする請求項１０に記載のトリミング装置。
【請求項１２】
前記支持部材は、
前記キャリッジの第１の側に設けられ、ある特定の方向において第１のピーク部で終わる上り傾斜部を有する第１の支持部材と、
前記第１の側と反対の第２の側に設けられ、前記特定の方向において第２のピーク部から始まる下り傾斜部を有する第２の支持部材と、
前記第１及び第２の側の間に対称に設けられ、中間ピーク部と２つの側方傾斜部とを各々有する一対の支持ブロックから成る、第３の支持部材とを含み、
前記第１の支持部材の前記第１のピーク部、前記第２の支持部材の前記第２のピーク部、及び前記第３の支持部材の前記ピーク部は、前記トップカバーを回転させる間に、夫々異なる時点で各保持部材を支持し、それにより、基本的に一時点では前記トリミング部材の中の一つを前記開口の中の前記対応する一つから押し出すように配置されることを特徴とする請求項１１に記載のトリミング装置。
【請求項１３】
前記トリミング部材は、
前記シート材を横切って移動する間に前記シート材に完全なカットラインを与えるようにトリミングするための、鋭利部分を有する第１のブレードと、
前記シート材を横切って転がる間に前記シート材に断続的なカットラインを与えるようにトリミングするための、鋭利な歯が等間隔に設けられた歯車形ブレードを有する第２のブレードと、
前記シート材を横切って移動する間に前記シート材に折り畳みラインを与えるようにトリミングするための、非鋭利部分を有する第３のブレードとを含むことを特徴とする請求項１２に記載のトリミング装置。
【請求項１４】
前記トップカバー及び前記ハウジングはいずれも円形状であり、前記溝は前記ハウジングの直径に沿って並んでいることを特徴とする請求項１３に記載のトリミング装置。
【請求項１５】
前記特定の方向は時計方向又は反時計方向であることを特徴とする請求項１４に記載のトリミング装置。
【請求項１６】
選択されたトリミング部材を、シート材上を横断してトリミングラインを与えるように移動させるために、トリミング装置に使用されるキャリッジであって、
支持部材を内部に有するトップカバーと、
第１及び第２のトリミング部材を保持するための少なくとも２つの保持部材を内部に収納するハウジングとを備え、
前記第１及び第２のトリミング部材の中の一つが、前記支持部材によって前記ハウジングから押し出され、所望のトリミング方法に合った前記選択されたトリミング部材として機能することを特徴とするキャリッジ。
【請求項１７】
前記第１のトリミング部材は、前記シート材に完全なカットラインを与えるようにトリミングするための鋭利ブレードであることを特徴とする請求項１６に記載のキャリッジ。
【請求項１８】
前記第２のトリミング部材は、前記シート材に断続的なカットライン又は折り畳みラインを夫々与えるようにトリミングするための、歯車形ブレード又は非鋭利ブレードであることを特徴とする請求項１７に記載のキャリッジ。
【請求項１９】
前記キャリッジは、前記第１及び第２のトリミング部材を夫々保持し、前記支持部材の支持力に応じて随意に下方に移動して前記選択されたトリミング部材を露出させる、第１及び第２の保持部材をさらに備えたことを特徴とする請求項１８に記載のキャリッジ。
【請求項２０】
前記支持部材は、
前記キャリッジの第１の側に設けられ、ある特定の方向において第１のピーク部で終わる上り傾斜部を有する第１の支持部材と、
前記第１の側と反対の第２の側に設けられ、前記特定の方向において第２のピーク部から始まる下り傾斜部を有する第２の支持部材とを含み、
前記第１及び第２の保持部材は、前記ハウジングに対して前記トップカバーを回転させることにより、夫々異なる時点で前記第１及び第２のピーク部によって随意に外方に押されることを特徴とする請求項１９に記載のキャリッジ。
【発明の詳細な説明】
【技術分野】
【０００１】
本発明はトリミング装置に関するものであり、特に、紙すなわちシート材に、完全又は断続的なカットライン、又は折り畳みラインを随意に与え、その結果、当該紙すなわちシート材を分割したり、カットラインに沿って容易に切り取ったり折り畳んだりできるようにする、多機能型のトリミング装置に関する。
【背景技術】
【０００２】
周知の如く、ペーパカッタは、効率良く紙をカットして小さな紙片にするためのトリミング装置である。図１は、従来のペーパカッタの外観を示す概略図である。ペーパカッタ１は、ベース１１、スライドレール１２、及びスライド式ブレードホルダ１３を備えている。ベース１１は、カットされる紙を載置するのに使用される。スライドレール１２は、ベース１１上に固定され、スライド式ブレードホルダ１３がスライド移動するためのガイドスリット１１１が設けられている。スライドレール１２とベース１１との間のギャップ１４に紙（図示せず）を差し込むと、ユーザは、スライド式ホルダ１３のブレード（図示せず）が紙に当接した状態を維持するため、スライドレールを押え付ける。ガイドスリット１１１に沿ってスライド式ホルダ１３をスライドさせると、紙は２片にカットされる。
【０００３】
上記のペーパカッタは、紙を完全に分割する目的に限定して使用されるものである。紙を断続的にカットし、後に手で容易に切り取れるようにしたり、紙に折り畳みラインを付け、手で容易に折り畳めるようにしたい場合には、その特定の要求に合った別の種類のトリマが必要になる。従って、費用及びスペースの点で非効率である。
【０００４】
そこで、本発明は、先行技術が直面する上述の現況に対処する多機能トリミング装置を開発するためになされたものである。
【発明の開示】
【発明が解決しようとする課題】
【０００５】
本発明は、紙等の裁断可能なシート材を様々なトリミング方法で随意にトリミングするための多機能トリミング装置を提供することを目的とする。
【０００６】
また、本発明は、トリミング装置に使用されるブレードキャリッジを提供することを目的とする。ブレードキャリッジは、様々なトリミング機能を実行するためにトリミング装置に随意に設けられる種々のトリミングツールを内部に収納する。
【課題を解決するための手段】
【０００７】
本発明の一側面によると、シート材を様々にトリミングするためのトリミング装置が提供される。このトリミング装置は、シート材を載置するためのベースと、ベース上に取り付けられたレールと、シート材を第１の方法でトリミングするための第１のトリミング部材と、シート材を第２の方法でトリミングするための第２のトリミング部材と、移動可能にレールと係合し、第１及び第２のトリミング部材に夫々連結された第１及び第２の部分、及びレールに沿って移動するための原動力を受ける第３の部分を有し、それにより、第１及び第２のトリミング部材の中の選択された一つをシート材の上を横断するように移動させるキャリッジとを備えている。
【０００８】
シート材は、例えば、紙、布、又は金属箔等のその他の適切なシート材である。
【０００９】
一実施形態では、第１のトリミング部材は鋭利ブレードであって、第１の方法は完全なカッティングである。第２のトリミング部材は歯車形ブレードであって、第２の方法は断続的なカッティングである。
【００１０】
別の実施形態では、第１のトリミング部材は鋭利ブレードであって、第１の方法は完全なカッティングであり、第２のトリミング部材は非鋭利ブレードであって、第２の方法は折り畳みラインを付けることである。
【００１１】
トリミング装置は、キャリッジの移動に応じてシート材を第３の方法でトリミングするためにキャリッジの第４の部分に連結された、第３のトリミング部材をさらに備えることが好ましい。例えば、３つのトリミング部材は、鋭利ブレード、歯車形ブレード、及び非鋭利ブレードである。
【００１２】
本発明の別の側面によると、シート材を様々にトリミングするためのトリミング装置が提供される。このトリミング装置は、シート材を載置するためのベースと、ベースに取り付けられたレールと、容器部分を有し、シート材が所望の方法でカットされるように、移動可能にレールと係合するキャリッジと、キャリッジの容器部分内に設置され、キャリッジを操作することによってシート材と接触するように選択される、夫々異なるトリミング機能を有する複数のトリミング部材とを備える。
【００１３】
キャリッジは、複数のトリミング部材に夫々対応する複数の支持部材を内部に有するトップカバーと、トップカバーとともに容器部分を構成し、トリミング部材を夫々収納するための複数の溝を有するハウジングとを備えることが好ましい。各溝は、支持部材の中の対応する一つの支持力によってトリミング部材の中の選択された一つを突出させるための開口を有している。
【００１４】
一実施形態では、キャリッジは、選択されたトリミング部材に支持力を与えるために、支持部材の中の対応する一つをトリミング部材の中の選択された一つに合わせるようにハウジングに対してトップカバーを回転させることによって、操作される。
【００１５】
キャリッジはさらに、ハウジングの溝に夫々設置され、支持力を受けることによって随意に下方に移動し、開口の中の対応する一つから選択されたトリミング部材を露出させる、トリミング部材を保持するための複数の保持部材と、支持力を受けていない保持部材及びトリミング部材を容器部分に引き戻すための弾性力を与えるために、溝内において保持部材と開口との間に夫々配置された複数の弾性部材とを備えることが好ましい。
【００１６】
支持部材は、キャリッジの第１の側に設けられ、ある特定の方向において第１のピーク部で終わる上り傾斜部を有する第１の支持部材と、第１の側と反対の第２の側に設けられ、該特定の方向において第２のピーク部から始まる下り傾斜部を有する第２の支持部材と、第１及び第２の側の間に対称に設けられ、中間ピーク部と２つの側方傾斜部とを各々有する一対の支持ブロックから成る、第３の支持部材とを含むことが好ましい。第１の支持部材の第１のピーク部、第２の支持部材の第２のピーク部、及び第３の支持部材のピーク部は、トップカバーを回転させる間に、夫々異なる時点で各保持部材を支持し、それにより、基本的に一時点ではトリミング部材の中の一つを開口の中の対応する一つから押し出すように配置される。
【００１７】
トリミング部材は、シート材を横切って移動する間にシート材に完全なカットラインを与えるようにトリミングするための、鋭利部分を有する第１のブレードと、シート材を横切って転がる間にシート材に断続的なカットラインを与えるようにトリミングするための、鋭利な歯が等間隔に設けられた歯車形ブレードを有する第２のブレードと、シート材を横切って移動する間にシート材に折り畳みラインを与えるようにトリミングするための、非鋭利部分を有する第３のブレードとを含むことが好ましい。
【００１８】
トップカバー及びハウジングはいずれも円形状であり、溝はハウジングの直径に沿って並んでいることが好ましい。
【００１９】
特定の方向は、例えば、時計方向又は反時計方向である。
【００２０】
本発明のさらに別の側面によると、選択されたトリミング部材を、シート材上を横断してトリミングラインを与えるように移動させるために、トリミング装置に使用されるキャリッジが提供される。このキャリッジは、支持部材を内部に有するトップカバーと、第１及び第２のトリミング部材を保持するための少なくとも２つの保持部材を内部に収納するハウジングとを備え、第１及び第２のトリミング部材の中の一つが、支持部材によってハウジングから押し出され、所望のトリミング方法に合った選択されたトリミング部材として機能する。
【００２１】
第１のトリミング部材は、シート材に完全なカットラインを与えるようにトリミングするための鋭利ブレードであることが好ましい。第２のトリミング部材は、シート材に断続的なカットライン又は折り畳みラインを夫々与えるようにトリミングするための、歯車形ブレード又は非鋭利ブレードであることが好ましい。
【００２２】
一実施形態では、キャリッジは、第１及び第２のトリミング部材を夫々保持し、支持部材の支持力に応じて随意に下方に移動して選択されたトリミング部材を露出させる、第１及び第２の保持部材をさらに備えている。支持部材は、キャリッジの第１の側に設けられ、ある特定の方向において第１のピーク部で終わる上り傾斜部を有する第１の支持部材と、第１の側と反対の第２の側に設けられ、該特定の方向において第２のピーク部から始まる下り傾斜部を有する第２の支持部材とを含むことが好ましい。第１及び第２の保持部材は、ハウジングに対してトップカバーを回転させることにより、夫々異なる時点で第１及び第２のピーク部によって随意に外方に押される。
【発明を実施するための最良の形態】
【００２３】
以下、実施形態を挙げて本発明をより具体的に説明する。但し、以下に示す本発明の最良の実施形態の説明は、単に実例の提示及び説明を目的とするものであり、網羅的なものではなく、開示された厳密な形式に限定するものではない。
【００２４】
図２は、本発明の一実施形態によるペーパトリマの外観を示す概略図である。ペーパトリマ２は、ベース２１、レール２２、及び３つのトリミング部材（この図面では示されていない）を内部に収納する回転可能なキャリッジ２３を備えており、トリミング部材の中の選択された一つの部材のみをキャリッジ２３から露出させて作動させる。ベース２１は、トリミングする紙を載置するために使用される。レール２２はベース２１の上に取り付けられる。ベース２１とレール２２との間にはギャップ２４があり、そこから紙を差し入れて固定する。レール２２には、キャリッジ２３をスライド可能に嵌めるためのガイドスリット２１１が設けられている。キャリッジ２３がガイドスリット２１１内をスライド移動するとき、キャリッジと共に３つのトリミング部材が移動し、露出状態にあるトリミング部材が紙の上を横断して、所望の方法で紙をトリミングする。
【００２５】
図３は、図２に示されるキャリッジの上部の内部構造を示す概略図である。キャリッジ上部は本実施形態においてトップカバー２３１と呼ばれ、第１の支持部材２３１１、第２の支持部材２３１２、及びそれらの間に設けられた一対の支持ブロック２３１３を有している。図３に示されるように、トップカバー２３１の第１の側に配置された第１の支持部材２３１１は、反時計方向においてピーク部２３１１１で終わる上り傾斜部２３１１０を有し、第１の側と反対の第２の側に配置された第２の支持部材２３１２は、反時計方向においてピーク部２３１２１で始まる下り傾斜部２３１２０を有している。一対の支持ブロック２３１３は、トップカバー２３１の第１及び第２の側の間に対称に設けられている。各支持ブロック２３１３は、中間ピーク部２３１３０及び２つの側方傾斜部２３１３１を有している。
【００２６】
図４は、図２に示されるキャリッジの下部の内部を示す概略図である。本実施形態においてハウジング２３２と呼ばれるキャリッジ下部は、３つの溝２３２１、２３２２及び２３２３を備えており、各溝の底部には開口２３２４、２３２５及び２３２６が設けられている。溝２３２１、２３２２及び２３２３は、ハウジング２３２の直径に沿って並設されている。
【００２７】
図５−Ａから図５−Ｃは、３つのトリミング部材及びそれらに対応する保持部材を夫々例示する概略分解図である。図４のハウジング２３２は、図３のトップカバー２３１とともに、３組のトリミング部材、保持部材、及び弾性部材を収納するための容器２５を構成する。本実施形態においては、トリミング部材は、紙を完全に裁断するための鋭利ブレード２４１、紙に断続的なカットラインを与えるための歯車形ブレード２４２、及び紙をカットせずに折り畳みラインを与えるための非鋭利ブレード２４３を含む。これらのトリミング部材を保持するため、３つの保持部材２３３１、２３３２及び２３３３が夫々設けられている。保持部材２３３１、２３３２及び２３３３は、夫々異なるトリミング機能を有する個別のトリミング部材を保持するために使用される。図５−Ａに示されるように、鋭利ブレード２４１は、トリミングされる紙と接触する先端鋭利部分２４１０、及び保持部材２３３１のスリット２３３１０に挿入されて保持部材２３３１に保持される後部２４１１を有している。図５−Ｂに示されるように、歯車形ブレード２４２は、等間隔に配列され、トリミングされる紙と接触する歯状部２４２０、及び、保持部材２３３２の中間伝達部材２３３２１を介して保持部材２３３２のベースポスト２３３２２に回転可能に取り付けるための中央孔２４２１を備えている。図５−Ｃに示されるように、非鋭利ブレード２４３は、トリミングされる紙と接触し、保持部材２３３３と一体に形成された非鋭利部分２４３０を有している。
【００２８】
上記各部材の機能を、図６を参照して説明する。図６ではさらに、図５−Ａから図５−Ｃの３つの保持部材に夫々対応し、非選択のトリミング部材を随意に引込めるための３つの弾性部材が示されている。まず、弾性部材２３４１、２３４２及び２３４３がハウジング２３２の各溝２３２１、２３２２及び２３２３に設置される。保持部材２３３１、２３３２及び２３３３も、弾性部材２３４１、２３４２及び２３４３の上に、トリミング部材２４１、２４２及び２４３のブレード部分２４１０、２４２０及び２４３０を開口２３２４、２３２５及び２３２６に向けて、ハウジング２３２の溝２３２１、２３２２及び２３２３に夫々設置される。なお、夫々異なる保持部材を明確に区別するために、図６の保持部材及び弾性部材は実際に設置される向きで示されていないものもある。さらに、部材２３３２１及び２４２は図６には示されておらず、図５−Ｂを参照する必要がある。
【００２９】
トップカバー２３１をハウジング２３２に対して１サイクル回転させるとき、トップカバー２３１の第１及び第２の支持部材２３１１及び２３１２、及び一対の支持ブロック２３１３が、保持部材２３３１、２３３３及び２３３２を夫々異なる時点において支持し、それにより、一つの時点では、ブレード部分２４１０、２４２０及び２４３０の中の選択された一つのみを対応する開口２３２４、２３２５及び２３２６から外に押し出す。例えば、ユーザが紙を完全に裁断したいときは、トップカバー２３１を反時計方向に回転させ、保持部材２３３１が第１の支持部材２３１１の傾斜部２３１１０を上ってピーク部２３１１１に達するようにする。弾性部材２３４１が設けられているため、支持部材２３１１は保持部材２３３１に当接した状態を維持する。
【００３０】
保持部材２３３１が支持部材２３１１のピーク部２３１１１に達すると、保持部材２３３１に保持される鋭利ブレード２４１が開口２３２４から押し出される。このとき、非鋭利ブレード２４３を有する保持部材２３３３は回転されてピーク部２３１２１から傾斜部２３１２０を下り、よって、ブレード２４３は、弾性部材２３４３がもたらす弾性力により容器２５に引き戻され、開口２３２６から露出しない。
【００３１】
一方、各支持ブロック２３１３のピーク部２３１３０は、対応する保持部材２３３２に一時的に当接した後、側方傾斜部２３１３１によって該保持部材から離れる。従って、歯車形ブレード２４２は、弾性部材２３４２の引込み力により、最終的には開口２３２５から突出しない。
【００３２】
すなわち、単一のトリミング部材、つまり鋭利ブレード２４１のみが、キャリッジ２３の下部２３２から下方に突出し、ベース２１に載置された紙と接触する。その後、ガイドスリット２１１に沿ってキャリッジ２３をスライド移動させると、鋭利ブレード２４１が紙の上を横断するように移動し、紙を２片に裁断する。
【００３３】
同様に、折り畳みラインが必要な場合には、トップカバー２３１をハウジング２３２に対して時計方向に回転させることにより、非鋭利ブレード２４３を選択し、使用する。保持部材２３３３が傾斜部２３１２０に沿ってピーク部２３１２１に達すると、非鋭利ブレード２４３が開口２３２６から押し出され、作動ブレードとして機能する。従って、キャリッジ２３をガイドスリット２１１に沿って移動させれば、紙に所望の折り畳みラインを与えることができる。
【００３４】
さらに、ユーザが断続的なカットラインを紙に与えたい場合には、各支持ブロック２３１３のピーク部２３１３０が保持部材２３３２と真っ直ぐに並ぶまで、ハウジング２３２に対してトップカバー２３１を上述した第１の位置から時計方向に、又は第２の位置から反時計方向に回転させることにより、歯車形ブレード２４２を選択する。ピーク部２３１３０は、歯車形ブレード２４２の歯状部２４２０を部分的に開口２３２５から押し出し、紙と接触させる。キャリッジ２３をガイドスリット２１１に沿って移動させると、歯車形ブレード２４２はポスト２３３２２を中心に回転して紙の上を転がり、それにより、所望の断続的なカット方法で紙をトリミングする。
【００３５】
従って、本発明のトリミング装置は、紙に対して完全又は断続的なカットライン、又は折り畳みラインを随意に与え、その結果、当該紙を分割したり、カットラインに沿って容易に切り取れる又は折り畳めるようにすることができる。
【００３６】
以上、現在において最も実用的で好ましいと考えられる実施形態について本発明を説明してきたが、本発明は、開示された実施形態に限定されるものではなく、添付される請求項の最広義な解釈による趣旨及び範囲内における種々の変更及び同様の配置をも含むものであり、そのような変更及び同様の構造全てを包含する。
【図面の簡単な説明】
【００３７】
【図１】従来のペーパカッタの外観を示す概略図である。
【図２】本発明の一実施形態によるペーパトリマの外観を示す概略図である。
【図３】図２に示されるキャリッジの上部の内部構造を示す概略図である。
【図４】図２に示されるキャリッジの下部の内部構造を示す概略図である。
【図５Ａ】トリミング部材及びそれに対応する保持部材を例示する概略分解図である。
【図５Ｂ】トリミング部材及びそれに対応する保持部材を例示する概略分解図である。
【図５Ｃ】トリミング部材及びそれに対応する保持部材を例示する概略分解図である。
【図６】図５−Ａから図５−Ｃの３つの保持部材に夫々対応し、非選択のトリミング部材を随意に引込めるための３つの弾性部材を示す概略図である。
【符号の説明】
【００３８】
２      ペーパトリマ（トリミング装置）
２１    ベース
２２    レール
２３    キャリッジ
２４１  鋭利ブレード
２４２  歯車形ブレード
２４３  非鋭利ブレード
【手続補正書】
【提出日】平成15年12月19日(2003.12.19)
【手続補正１】
【補正対象書類名】図面
【補正対象項目名】全図
【補正方法】追加
【補正の内容】
【図１】
2005125410.tif 000003
【図２】
2005125410.tif 000004
【図３】
2005125410.tif 000005
【図４】
2005125410.tif 000006
【図５−Ａ】
2005125410.tif 000007
【図５−Ｂ】
2005125410.tif 000008
【図５−Ｃ】
2005125410.tif 000009
【図６】
2005125410.tif 000010
【外国語明細書】
Title of Invention
MULTI-FUNCTIONAL TRIMMING APPARATUS
Field of Invention
[0001]    The present invention relates to a trimming apparatus, and more particularly to a multi-functional trimming apparatus to optionally impart a complete or intermittent cut line or a folding line to a paper or a sheet material so that the resulting paper or sheet material can be divided or tore apart or folded easily along the cut line.  
Background of Invention
[0002]    As is well known, a paper cutter is a trimming apparatus for efficiently cutting paper into small sheets.  Please refer to Fig. 1 which is a schematic diagram illustrating the appearance of a conventional paper cutter.  The paper cutter 1 includes a base 11, a slide rail 12 and a slidable blade holder 13.  The base 11 is used for placing a sheet of paper to be cut thereon.  The slide rail 12 is fixed on the base 11 and defines a guiding slit 111 therein for the slidable blade holder 13 to slide therealong.  When the paper (not shown) is put into a gap 14 between the slide rail 12 and base 11, the user may press down the slide rail to have the blade (not shown) of the slidable holder 13 sustain against the paper.  By sliding the slidable holder 13 along the guiding slit 111, the paper is cut into two pieces.
[0003]    The paper cutter mentioned above is specifically used to divide the paper completely.  For the case that paper intermittently cut to be easily torn off with hand later or paper marked with a folding line to be easily folded with hand is required, another kind of trimmer will be needed for that specific requirement.  Thus, it is cost- and space- inefficient. 
[0004]    Therefore, the purpose of the present invention is to develop a multi-functional trimming apparatus to deal with the above situations encountered in the prior art.
Disclosure of Invention
Problems to be Solved by Invention
[0005]    An object of the present invention is to provide a multi-functional trimming apparatus for optionally trimming paper or any other cutable sheet material in different trimming ways.
[0006]    Another object of the present invention is to provide a blade carriage for use with a trimming apparatus.  The blade carriage accommodates therein a variety of trimming tools optionally provided for the trimming apparatus to perform various trimming functions.
Means to Solve the Problems
[0007]    According to an aspect of the present invention, there is provided a trimming apparatus for variously trimming a sheet material.  The trimming apparatus includes a base for placing the sheet material thereon, a rail mounted on the base, a first trimming element for trimming the sheet material in a first manner, a second trimming element for trimming the sheet material in a second manner, a carriage movably engaging with the rail, having a first and a second portions coupled to the first and second trimming elements, respectively, and having a third portion for being exerted thereon a driving force to move along the rail, thereby carrying a selected one of the first and second trimming elements to cross over the sheet material.  
[0008]    For example, the sheet material can be paper or cloth or any other suitable sheet material such as a metal foil.
[0009]    In an embodiment, the first trimming element is a sharp blade and the first manner is complete cutting.  The second trimming element is a gear-shaped blade and the second manner is intermittent cutting. 
[0010]    In another embodiment, the first trimming element is a sharp blade and the first manner is complete cutting, and the second trimming element is a blunt blade and the second manner is folding-line making.
[0011]    Preferably, the trimming apparatus further includes a third trimming element coupled to a fourth portion of the carriage for trimming the sheet material in a third manner in response to the movement of the carriage.  For example, the three trimming elements can be a sharp blade, a gear-shaped blade and a blunt blade.  
[0012]    According to another aspect of the present invention, there is provided a trimming apparatus for variously trimming a sheet material.  The trimming apparatus includes a base for placing the sheet material thereon, a rail mounted on the base, a carriage having a receptacle and movably engaging with the rail to have the sheet material cut in a desired manner, and a plurality of trimming elements with different trimming functions, disposed in the receptacle of the carriage, and selected to be in contact with the sheet material by manipulating the carriage.
[0013]    Preferably, the carriage includes a top cover having therein a plurality of sustaining elements corresponding to the plurality of trimming elements, respectively, and a housing cooperating with the top cover to define the receptacle and having a plurality of grooves for accommodating the trimming elements, respectively.  Each of the grooves has an opening for allowing a selected one of the trimming elements to protrude therefrom in response to a sustaining force of a corresponding one of the sustaining elements.
[0014]    In an embodiment, the carriage is manipulated by rotating the top cover relative to the housing to align the corresponding one of the sustaining elements with the selected one of the trimming elements to provide the sustaining force for the selected trimming element.
[0015]    Preferably, the carriage further includes a plurality of holding elements for holding the trimming elements, disposed in the grooves of the housing, respectively, and optionally moving down to expose the selected trimming element from a corresponding one of the openings by being exerted thereon the sustaining force, and a plurality of elastic elements disposed in the grooves and arranged between the holding elements and the openings, respectively, for providing an elastic force to retract the holding elements with the trimming elements which are not exerted thereon the sustaining force back to the receptacle.
[0016]    Preferably, the sustaining elements include a first sustaining element located at a first side of the carriage, and having a rising incline ending at a first peak in a specific direction, a second sustaining element disposed at a second side opposite to the first side, and having a falling incline beginning with a second peak in the specific direction, and a third sustaining element consisting of a pair of sustaining blocks symmetrically disposed between the first and second sides, each of the sustaining blocks having an intermediate peak portion and two lateral incline portions.  The positions of the first peak of the first sustaining element, the second peak of the second sustaining element, and the peak portions of the third sustaining element are arranged to sustain respective holding elements at different time points while rotating the top cover, thereby pushing essentially one of the trimming elements out of the corresponding one of the openings at one time. 
[0017]    Preferably, the trimming elements include a first blade having a sharp portion for trimming the sheet material to have a complete cut line while moving cross the sheet material, a second blade having a gear-shaped blade including sharp teeth at an equidistant interval for trimming the sheet material to have an intermittent cut line while rolling cross the sheet material, and a third blade having a blunt portion for trimming the sheet material to have a folding line while moving cross the sheet material.
[0018]    Preferably, the top cover and the housing are both of a circular shape, and the grooves are aligned along a diameter of the housing.
[0019]    For example, the specific direction can be clockwise or counterclockwise.  
[0020]    According to a further aspect of the present invention, there is provided a carriage for use with a trimming apparatus for carrying a selected trimming element to cross over a sheet material to have a trimming line.  The carriage includes a top cover having a sustaining device therein, and a housing accommodating therein at least two holding elements for holding a first and a second trimming elements, wherein one of the first and second trimming elements is pushed out of the housing by the sustaining device to serve as the selected trimming element according to a desired trimming way.
[0021]    Preferably, the first trimming element is a sharp blade for trimming the sheet material to have a complete cut line.  The second trimming element is preferably one of a gear-shaped blade and a blunt blade for trimming the sheet material to have one of an intermittent cut line and a folding line, respectively.
[0022]    In an embodiment, the carriage further includes a first and a second holding elements for holding the first and second trimming elements, respectively, and optionally moving down to expose the selected trimming element in response to a sustaining force of the sustaining device.  Preferably, the sustaining device include a first sustaining element located at a first side of the carriage, and having a rising incline ending at a first peak in a specific direction, and a second sustaining element disposed at a second side opposite to the first side, and having a falling incline beginning with a second peak in the specific direction.  The first and second holding elements are optionally pushed outwards by the first and second peaks at different time points by rotating the top cover relative to the housing.
The Best Embodiment of Invention
[0023]    The present invention will now be described more specifically with reference to the following embodiments. It is to be noted that the following descriptions of the best embodiment of this invention are presented herein for purpose of illustration and description only; it is not intended to be exhaustive or to be limited to the precise form disclosed.
[0024]    Please refer to Fig. 2 which is a schematic diagram illustrating the appearance of a preferred embodiment of a paper trimmer according to the present invention.  The paper trimmer 2 includes a base 21, a rail 22 and a rotatable carriage 23 accommodating therein three trimming elements (not shown in this figure), and allowing only a selected one of the trimming elements to expose from the carriage 23 to work.  The base 21 is used for placing a paper to be trimmed thereon.  The rail 22 is mounted on the base 21.  A gap 24 is existent between the base 21 and the rail 22 for entering therefrom and fixing therein the paper.  The rail 22 has a guiding slit 211 for the carriage 23 engaging therewith to slide therealong.  When the carriage 23 slides in the guiding slit 211, the three trimming elements are moved along with the carriage, and the exposed trimming element crosses over and thus trims the paper in a desired way.            
[0025]    Please refer to Fig. 3 which is a schematic diagram illustrating an inner structure of an upper part of the carriage of Fig. 2.  The upper part of the carriage, as is called a top cover 231 in this embodiment, has a first sustaining element 2311, a second sustaining element 2312 and a pair of sustaining blocks 2313 therebetween.  As shown in Fig. 3, the first sustaining element 2311 located at the first side of the top cover 231 has a rising incline 23110 ending at a peak 23111 in the counterclockwise direction, while the second sustaining element 2312 located at the second side opposite to the first side has a falling incline 23120 beginning with a peak 23121 in the counterclockwise direction.  The pair of sustaining blocks 2313 is symmetrically disposed between the first and second sides of the top cover 231.  Each of the sustaining blocks 2313 has an intermediate peak portion 23130 and two lateral incline portions 23131. 
[0026]    Please refer to Fig. 4 which is a schematic diagram illustrating an inner part of a lower part of the carriage of Fig. 2.  The lower part of the carriage, as is called a housing 232 in this embodiment, includes three grooves 2321, 2322 and 2323 and each of the grooves has an opening in the bottom, i.e. the openings 2324, 2325 and 2326.  The grooves 2321, 2322 and 2323 are aligned with one another along the diameter of the housing 232.    
[0027]    Figs. 5-A〜5-C are schematic resolving diagrams exemplifying three trimming elements and their corresponding holding elements, respectively.  The housing 232 in Fig. 4 cooperates with the top cover 231 in Fig. 3 to define a receptacle 25 for accommodating three sets of trimming elements, holding elements and elastic elements.  In this embodiment, the trimming elements include a sharp blade 241 for cutting the paper completely, a gear-shaped blade 242 for giving an intermittent cut line to the paper and a blunt blade 243 for giving a non-cut folding line to the paper.  For holding these trimming elements, three holding elements 2331, 2332 and 2333 are provided, respectively.  The holding elements 2331, 2332 and 2333 are used for holding different trimming elements to provide different trimming functions.  As shown in Fig. 5-A, the sharp blade 241 has a leading sharp portion 2410 to be in contact with the trimmed paper, and a back portion to be inserted into a slit 23310 of the holding element 2331 so as to be held by the holding element 2331.  Please refer to Fig. 5-B, the gear-shaped blade 242 includes teeth portions 2420 arranged at an equidistant interval to be in contact with the trimmed paper, and a central hole 2421 to be rotatably sleeved on a base post 23322 of the holding element 2322 via an intermediate transmitting element 23321 of the holding element 2322.  The blunt blade 243, as shown in Fig. 5-C, has a blunt portion 2430 to be in contact with the trimmed paper integrally formed with the holding element 2333. 
[0028]    The functions of the above elements are described with reference to Fig. 6 which further illustrates three elastic elements corresponding to the three holding elements of Figs. 5-A〜5-C, respectively, for optionally retracting the unselected trimming elements.  First of all, the elastic elements 2341, 2342 and 2343 are placed into the grooves 2321, 2322 and 2323 of the housing 232.  The holding elements 2331, 2332 and 2333 are disposed in the grooves 2321, 2322 and 2323 of the housing 232, too, above the elastic elements 2341, 2342 and 2343 by orienting the blade portions 2410, 2420 and 2430 (Fig. 5-A〜5-C) of the trimming elements 241, 242 and 243 toward the openings 2324, 2325 and 2326, respectively.  In order to clearly distinguish the different holding elements, it should be noted that all the holding elements and the elastic elements in Fig. 6 are not shown as they should be oriented.  Further, the elements 23321 and 242 are not shown in Fig. 6 and have to be referred to Fig. 5-B.
[0029]    When the top cover 231 is rotated one cycle relative to the housing 232, the first and second sustaining elements 2311 and 2312 and the pair of sustaining blocks 2313 of the top cover 231 sustain the holding elements 2331, 2333 and 2332 at different time points, thereby pushing only a selected one of the blade portions 2410, 2420 and 2430 out of the corresponding opening 2324, 2325 or 2326 at one time.  For example, when the user likes to cut the paper completely, the top cover 231 is rotated counterclockwise to have the holding element 2331 climb the incline 23110 of the first sustaining element 2311 up to the peak 23111.  Due to the presence of the elastic element 2341, the sustaining element 2311 will sustain against the holding element 2331 all the time.  
[0030]    When the holding element 2331 reaches the peak 23111 of the sustaining element 2311, the sharp blade 241 held by the holding element 2331 will be pushed out of the opening 2324.  At the moment, the holding element 2333 with the blunt blade 243 is rotated to go down the incline 23120 from the peak 23121, and thus the blade 243 is retracted back to receptacle 25 by the elastic force provided by the elastic element 2343, and will not expose from the opening 2326.  
[0031]    Meanwhile, the peaks 23130 of the sustaining blocks 2313 will temporarily sustain against and then slip away from the corresponding holding element 2332 via the lateral inclines 23131, so the gear-shaped blade 242 will not protrude from the opening 2325 finally due to the retracting force of the elastic element 2342.  
[0032]    In other words, there is only one trimming element, i.e. the sharp blade 241, protruding downwards from the lower part 232 of the carriage 23 to be in contact with the paper on the base 21.  Then, by sliding the carriage 23 along the guiding slit 211, the sharp blade 241 is carried to cross over the paper, and cut it into two pieces.  
[0033]    Similarly, when a folding line is desired, the blunt blade 243 is selected to be used by rotating the top cover 231 clockwise relative to the housing 232.  When the holding element 2333 reaches the peak 23121 along the incline 23120, the blunt blade 243 will be pushed out of the opening 2326 to serve as the working blade.  Therefore, the desired folding line can be given to the trimmed paper by moving the carriage 23 along the guide slit 211.  
[0034]    Further, when the user likes the paper to have an intermittent cut line, the gear-shaped blade 242 is selected by rotating the top cover 231 relative to the housing 232 clockwise from the first situation or counterclockwise from the second situation mentioned above until the peaks 23130 of the sustaining blocks 2313 are aligned with the holding element 2332.  The peak portions 23130 pushes the teeth portion 2420 of the gear-shaped blade 242 partially out of the opening 2325 to be in contact with the paper.  When the carriage 23 is moved along the guiding slit 211, the gear-shaped blade 242 rotates about the post 23322 to roll over the paper, thereby trimming the paper in the desired intermittently cut way.  
[0035]    Accordingly, the trimming apparatus can optionally provides a complete or intermittent cut line or a folding line to paper so that the resulting paper can be divided or tore apart or folded easily along the cut line.  
[0036]    While the invention has been described in terms of what are presently considered to be the most practical and preferred embodiments, it is to be understood that the invention need not be limited to the disclosed embodiment. On the contrary, it is intended to cover various modifications and similar arrangements included within the spirit and scope of the appended claims which are to be accorded with the broadest interpretation so as to encompass all such modifications and similar structures.
Brief Description of Drawings
Fig. 1 is a schematic diagram illustrating the appearance of a conventional paper cutter;
Fig. 2 is a schematic diagram illustrating the appearance of a preferred embodiment of a paper trimmer according to the present invention; 
Fig. 3 is a schematic diagram illustrating an inner structure of an upper part of the carriage of Fig. 2; 
Fig. 4 is a schematic diagram illustrating an inner structure of a lower part of the carriage of Fig. 2; 
Figs. 5-A〜5-C are schematic resolving diagrams exemplifying three trimming elements and their corresponding holding elements, respectively; and
Fig. 6 is a schematic diagram illustrating three elastic elements corresponding to the three holding elements of Figs. 5-A〜5-C, respectively, for optionally retracting the unselected trimming elements.
DESCRIPTION OF THE REFERENCE CHARACTER
2   a paper trimmer ( a trimming apparatus )
21  a base
22  a rail
23  a carriage
241 a sharp blade
242 a gear-shaped blade
243 a blunt blade
1.  A trimming apparatus for variously trimming a sheet material, comprising: 
a base for placing said sheet material thereon; 
a rail mounted on said base;
a first trimming element for trimming said sheet material in a first manner;
a second trimming element for trimming said sheet material in a second manner; 
a carriage movably engaging with said rail, having a first and a second portions coupled to said first and second trimming elements, respectively, and having a third portion for being exerted thereon a driving force to move along said rail, thereby carrying a selected one of said first and second trimming elements to cross over said sheet material. 
2.  The trimming apparatus according to claim 1 wherein said sheet material is one of paper and cloth. 
3.  The trimming apparatus according to claim 1 wherein said first trimming element is a sharp blade and said first manner is complete cutting. 
4.   The trimming apparatus according to claim 3 wherein said second trimming element is a gear-shaped blade and said second manner is intermittent cutting. 
5.  The trimming apparatus according to claim 3 wherein said second trimming element is a blunt blade and said second manner is folding-line making.
6.  The trimming apparatus according to claim 1 further comprising a third trimming element coupled to a fourth portion of said carriage for trimming said sheet material in a third manner in response to the movement of said carriage.
7.  The trimming apparatus according to claim 6 wherein said third trimming element is selected from a group consisting of a sharp blade, a gear-shaped blade and a blunt blade.  
8.  A trimming apparatus for variously trimming a sheet material, comprising: 
a base for placing said sheet material thereon; 
a rail mounted on said base;
a carriage having a receptacle and movably engaging with said rail to have said sheet material cut in a desired manner; and 
a plurality of trimming elements with different trimming functions, disposed in said receptacle of said carriage, and selected to be in contact with said sheet material by manipulating said carriage. 
9.  The trimming apparatus according to claim 8 wherein said carriage comprises: 
a top cover having therein a plurality of sustaining elements corresponding to said plurality of trimming elements, respectively; and  
a housing cooperating with said top cover to define said receptacle and having a plurality of grooves for accommodating said trimming elements, respectively, each of said grooves having an opening for allowing a selected one of said trimming elements to protrude therefrom in response to a sustaining force of a corresponding one of said sustaining elements.
10.  The trimming apparatus according to claim 9 wherein said carriage is manipulated by rotating said top cover relative to said housing to align said corresponding one of said sustaining elements with said selected one of said trimming elements to provide said sustaining force for said selected trimming element. 
11.  The trimming apparatus according to claim 10 wherein said carriage further comprises: 
a plurality of holding elements for holding said trimming elements, disposed in said grooves of said housing, respectively, and optionally moving down to expose said selected trimming element from a corresponding one of said openings by being exerted thereon said sustaining force; and 
a plurality of elastic elements disposed in said grooves and arranged between said holding elements and said openings, respectively, for providing an elastic force to retract said holding elements with said trimming elements which are not exerted thereon said sustaining force back to said receptacle.
12.  The trimming apparatus according to claim 11 wherein said sustaining elements include:
a first sustaining element located at a first side of said carriage, and having a rising incline ending at a first peak in a specific direction;
a second sustaining element disposed at a second side opposite to said first side, and having a falling incline beginning with a second peak in said specific direction; and 
a third sustaining element consisting of a pair of sustaining blocks symmetrically disposed between said first and second sides, each of said sustaining blocks having an intermediate peak portion and two lateral incline portions;
wherein the positions of said first peak of said first sustaining element, saidsecond peak of said second sustaining element, and said peak portions of said third sustaining element are arranged to sustain respective holding elements at different time points while rotating said top cover, thereby pushing essentially one of said trimming elements out of said corresponding one of said openings at one time. 
13.  The trimming apparatus according to claim 12 wherein said trimming elements include:
a first blade having a sharp portion for trimming said sheet material to have a complete cut line while moving cross said sheet material;
a second blade having a gear-shaped blade including sharp teeth at an equidistant interval for trimming said sheet material to have an intermittent cut line while rolling cross said sheet material; and 
a third blade having a blunt portion for trimming said sheet material to have a folding line while moving cross said sheet material.
14.  The trimming apparatus according to claim 13 wherein said top cover and said housing are both of a circular shape, and said grooves are aligned along a diameter of said housing. 
15.  The trimming apparatus according to claim 14 wherein said specific direction is clockwise or counterclockwise. 
16.  A carriage for use with a trimming apparatus for carrying a selected trimming element to cross over a sheet material to have a trimming line, comprising: 
a top cover having a sustaining device therein; and 
a housing accommodating therein at least two holding elements for holding a first and a second trimming elements; 
wherein one of said first and second trimming elements is pushed out of said housing by said sustaining device to serve as said selected trimming element according to a desired trimming way.
17.  The carriage according to claim 16 wherein said first trimming element is a sharp blade for trimming said sheet material to have a complete cut line.
18.  The carriage according to claim 17 wherein said second trimming element is one of a gear-shaped blade and a blunt blade for trimming said sheet material to have one of an intermittent cut line and a folding line, respectively.
19.  The carriage according to claim 18 wherein said carriage further comprises a first and a second holding elements for holding said first and second trimming elements, respectively, and optionally moving down to expose said selected trimming element in response to a sustaining force of said sustaining device.
20.  The carriage according to claim 19 wherein said sustaining device includes: 
a first sustaining element located at a first side of said carriage, and having a rising incline ending at a first peak in a specific direction; and
a second sustaining element disposed at a second side opposite to said first side, and having a falling incline beginning with a second peak in said specific direction;
wherein said first and second holding elements are optionally pushed outwards by said first and second peaks at different time points by rotating said top cover relative to said housing. 
1 Abstract
We provide a multi-functional trimming apparatus for optionally trimming paper or any other cutable sheet material in different trimming ways. 
The paper trimmer 2 includes a base 21, a rail 22 and a rotatable carriage 23 accommodating therein three trimming elements, and allowing only a selected one of the trimming elements to expose from the carriage 23 to work.  When the carriage 23 slides in the guiding slit 211, the three trimming elements are moved along with the carriage, and the exposed trimming element crosses over and thus trims the paper in a desired way.
2 Representative Drawing  Fig. 2
【図１】
2005125410.tif 000011
【図２】
2005125410.tif 000012
【図３】
2005125410.tif 000013
【図４】
2005125410.tif 000014
【図５−Ａ】
2005125410.tif 000015
【図５−Ｂ】
2005125410.tif 000016
【図５−Ｃ】
2005125410.tif 000017
【図６】
2005125410.tif 000018